(57)【特許請求の範囲】
【請求項１】
電磁弁の開閉により吐止水する吐水管と、
被検知体の存在の有無を検知するセンサと、
該センサが前記被検知体の存在を検知すると前記電磁弁に開弁信号を出力し、検知しなくなると閉弁信号を出力する制御手段とを有する自動水栓において、
前記制御手段は、前記センサが前記被検知体の存在を検知しなくなると前記電磁弁に閉弁信号を、直ちに出力する通常止水モードと遅れて出力する遅延止水モードとを有することを特徴とする自動水栓。
【請求項２】
前記センサが前記被検知体の存在を検知する状態と検知しない状態とが反復し、その反復回数が所定時間内に設定数に達した場合、
或いは前記被検知体の存在を検知する状態から一旦、検知しない状態になり、一定時間内に前記被検知体の存在を検知する状態になった場合には前記遅延止水モードが選択されることを特徴とする請求項１記載の自動水栓。
【請求項３】
前記制御手段が前記遅延止水モードで作動中に、
前記反復回数が第１所定時間内に設定数未満になった場合、或いは第２所定時間を越えても前記被検知体の存在を検知する状態にならなかった場合には、前記通常止水モードに戻ることを特徴とする請求項２記載の自動水栓。
【請求項４】
前記制御手段が前記遅延止水モードで作動している場合、
検知する状態と検知しない状態との反復回数が多い程、また検知しない状態が長い程、上記遅れ時間が長く設定されることを特徴とする請求項１乃至請求項３の何れかに記載の自動水栓。
【請求項５】
電磁弁の開閉により吐止水する吐水管と、
間欠的にセンサ波を放射し、このセンサ波が被検知体に反射して戻って来るか否かに基づいて前記被検知体の存在の有無を検知するセンサと、
該センサが前記被検知体の存在を検知すると前記電磁弁に開弁信号を出力する制御手段とを有し、
前記制御手段は、前記開弁信号が出力された後、前記センサが前記被検知体が存在しないと検知すると、前記センサ波を放射する確認動作を行う自動水栓において、
前記制御手段は、前記センサが前記確認動作を所定時間毎に所定の少ない回数行う第１止水モードと、前記センサが前記確認動作を所定時間毎に第１止水モードより多い所定の回数行う第２止水モードとを有し、
前記制御手段は、前記確認動作において前記センサが前記被検知体の存在を検知すると前記第２止水モードに切り替えることを特徴とする自動水栓。
【請求項６】
電磁弁の開閉により吐止水する吐水管と、
間欠的にセンサ波を放射し、このセンサ波が被検知体に反射して戻って来るか否かに基づいて前記被検知体の存在の有無を検知する確認動作を行うセンサと、
該確認動作により前記被検知体の存在を検知すると前記電磁弁に開弁信号を出力し、前記確認動作で検知できなくなると閉弁信号を出力する制御手段とを有する自動水栓において、
前記センサが前記被検知体の存在を検知する状態と検知しない状態とが反復する場合、その反復回数が多い程、また検知しない状態が長い程、前記確認動作の回数を増やすことを特徴とする自動水栓。
【発明の詳細な説明】
【０００１】
【発明の属する技術分野】
本発明は、センサが被検知体の存在を検知すると、吐水管から水を吐水する自動水栓に関する。
【０００２】
【従来の技術】
間欠的にセンサ波（光、音、電波）を放射し、戻って来るセンサ波に基づいて被検知体の存在の有無を検知するセンサを用い、図１４のフローチャート（ステップｓｔ１〜ｓｔ８）および図１５のタイムチャートに示す様に、被検知体の存在を検知する（ステップｓｔ２でＹＥＳ）と電磁弁に開弁信号を出力（ステップｓｔ３）して吐水管から吐水し、存在を検知しなくなる（ステップｓｔ７でＮＯ）と電磁弁に閉弁信号を出力（ステップｓｔ８）して止水する自動水栓が従来から知られている。
この自動水栓は、通常の手洗いでは快適に作動する。
しかし、食器や食材を洗う場合には、被検知体の動きが大きいので、一時的に被検知体の存在を検知しなくなる場合（図１５のステップｓｔ５でＮＯ位置〜図１５のステップｓｔ２でＮＯ位置）がある。
センサが被検知体の存在を検知しなくなると電磁弁が閉弁して吐水が中断してしまうので利用者が不快に感じる。
【０００３】
そこで、図１６のフローチャート（ステップＳｔ１〜Ｓｔ９）および図１７のタイムチャートに示す様に、センサが被検知体の存在を検知しなくなる（ステップＳｔ７でＮＯ）と遅れて電磁弁に閉弁信号が出力される（ステップＳｔ８）様に遅延タイマーを入れると、食器や食材を洗う場合等、被検知体の動きが大きくても吐水が中断しなくなる。
【０００４】
【発明が解決しようとする課題】
しかし、毎回、止水応答が遅れるので被検知体を遠ざけて吐水が続き（図１７のメッシュ部分参照）、節水性を損なう。
【０００５】
本発明の目的は、一時的にセンサが被検知物の存在を検知しなくなっても吐水が中断しない遅延止水モードと、検知しなくなると直ちに止水を行う通常モードとを使用状態に応じて切り替えが可能な自動水栓の提供にある。
【０００６】
【課題を解決するための手段】
〔請求項１について〕
自動水栓は、電磁弁の開閉により吐止水する吐水管と、被検知体の存在の有無を検知するセンサと、このセンサが被検知体の存在を検知すると電磁弁に開弁信号を出力し、検知しなくなると閉弁信号を出力する制御手段とを有する。
制御手段は、センサが被検知体の存在を検知しなくなると電磁弁に閉弁信号を、直ちに出力する通常止水モードと遅れて出力する遅延止水モードとを有する。
【０００７】
通常の手洗いでは被検知体である手の動きが小さく、センサが被検知体の存在を検知し続けて吐水が中断し難いので、センサが被検知体の存在を検知しなくなると電磁弁に閉弁信号を直ちに出力する通常止水モードに設定（手動または自動）して節水を図る。
【０００８】
食器や食材の洗浄では被検知体である食器や食材の動きが大きく、センサが一時的に被検知体の存在を検知しなくなる場合が有るので、センサが被検知体の存在を検知しなくなると電磁弁に閉弁信号を遅れて出力する遅延止水モードに設定（手動または自動）して吐水の中断を防止する。
【０００９】
〔請求項２について〕
食器や食材を洗う場合には被検知体の動きが大きいので、下記の状態になり易い。この様な状態になると、使用者が食器や食材を洗っていると推定し、制御手段が遅延止水モードになって吐水の中断を防止する。
・センサが被検知体の存在を検知する状態と検知しない状態とが反復し、その反復回数が所定時間内に設定数に達する。
・被検知体の存在を検知する状態から一旦、検知しない状態になり、一定時間内に被検知体の存在を検知する状態になる。
【００１０】
〔請求項３について〕
食器洗いや食材洗いから通常の手洗いに移行すると、被検知体の動きが小さくなるので反復回数は低下し、第１所定時間内に設定数未満になる。
また、食器洗いや食材洗いが終了すると、第２所定時間を越えても被検知体の存在を検知する状態に戻らない。
この様な場合には、通常の手洗いに移行したか食器洗いや食材洗いが終了したと推定して、制御手段が通常止水モードに切り替える。これにより節水を図ることができる。
【００１１】
〔請求項４について〕
制御手段が遅延止水モードで作動している場合、食器や食材がセンサで検知し難い材質である程、また、食器や食材の動きが大きい程、被検知体の存在をセンサが検知する状態と検知しない状態との反復回数が多くなり、また検知しない状態が長くなる。
そこで、被検知体の存在をセンサが検知する状態と検知しない状態との反復回数が多い程、また検知しない状態が長い程、遅れ時間を長く設定する。
これにより、制御手段が遅延止水モードで作動している場合の吐水の中断を一層、防止することができる。
【００１２】
〔請求項５について〕
自動水栓は、電磁弁の開閉により吐止水する吐水管と、間欠的にセンサ波を放射し、このセンサ波が被検知体に反射して戻って来るか否かに基づいて被検知体の存在の有無を検知するセンサと、該センサが被検知体の存在を検知すると電磁弁に開弁信号を出力する制御手段とを有する。
制御手段は、開弁信号が出力された後、センサが被検知体が存在しないと検知すると、センサ波を放射する確認動作を行う。制御手段は、センサが確認動作を所定時間毎に所定の少ない回数行う第１止水モードと、センサが確認動作を所定時間毎に第１止水モードより多い所定の回数行う第２止水モードとを有し、制御手段は、確認動作においてセンサが被検知体の存在を検知すると第２止水モードに切り替える。
【００１３】
通常の手洗い（食器や食材の洗浄を行う場合も最初は通常の手洗いから始まる）では被検知体である手の動きが小さく、所定の少ない回数でも被検知体の存在を検知して吐水が中断し難いので、通常の手洗いの場合、制御手段は、センサが確認動作を少ない回数行う第１止水モードに設定して節水を図る。
制御手段は、確認動作において被検知体の存在を検知すると第２止水モードに切り替える。食器や食材の洗浄では、被検知体である食器や食材の動きが大きく、センサが確認動作を所定時間毎に所定の少ない回数行うと被検知体の存在を検知しない場合が有るが、センサが確認動作を所定時間毎に第１止水モードより多い所定の回数行う第２止水モードに自動的に切り替わるため、吐水の中断を防止できる。
【００１４】
〔請求項６について〕
自動水栓は、電磁弁の開閉により吐止水する吐水管と、間欠的にセンサ波を放射し、このセンサ波が被検知体に反射して戻って来るか否かに基づいて被検知体の存在の有無を検知する確認動作を行うセンサと、確認動作により被検知体の存在を検知すると電磁弁に開弁信号を出力し、確認動作で検知できなくなると閉弁信号を出力する制御手段とを有する。
【００１５】
そして、センサが被検知体の存在を検知する状態と検知しない状態とが反復する場合、その反復回数が多い程、また検知しない状態が長い程、確認動作の回数を増やす。
通常の手洗いでは被検知体である手の動きが小さいので、センサが被検知体の存在を検知する状態と検知しない状態とが反復しないか、また、反復しても反復回数は少なく検知しない状態が短い。この場合には、確認動作の回数を少なくする。なお、少ない確認動作回数でも被検知体の存在が検知されるので吐水が中断しない。これにより節水を図ることができる。
【００１６】
食器や食材を洗う場合には、被検知体である食器や食材の動きが大きいので、センサが被検知体の存在を検知する状態と検知しない状態とが反復し易く、また、反復する場合に反復回数は多く、検知しない状態が長い。この場合には、確認動作の回数を多くして被検知体の存在が検知され易くすることにより吐水の中断を防止する。
【００１７】
【発明の実施の形態】
本発明の第１実施例（請求項１、２、３に対応）を図１〜図８に基づいて説明する。
自動水栓Ａは、温調ユニット１からシンク２方向に延設する吐水管３と、吐止水を行う電磁弁４と、吐水管３の吐水ヘッド３０に取り付けられたセンサ５と、電磁弁４の開閉等の制御を行うコントローラ６とを有する。
【００１８】
温調ユニット１は、図１、図２に示す様に、温調コントローラ１１と電磁弁４とを内部に配設し、取付具（図示せず）によりシンク後板２１の上方に固定されている。
温調コントローラ１１には、給水管１２および給湯管１３の先端が接続され、湯と水との混合割合を調節する温調ハンドル１４の手動操作により出口の湯温を自由に決めることができる。
給水管１２は、途中に止水栓１２１を介設（シンク下の空所２２）し、基端が上水道に接続されている。
給湯管１３は、途中に止湯栓１３１を介設（シンク下の空所２２）し、基端が給湯器やボイラーに接続されている。
【００１９】
吐水管３は、金属輪を複数個、繋ぎ合わせて形成され、自在に曲げることができるフレキシブル性を有する。
この吐水管３の基部は、温調ユニット１の上面を貫通して温調ユニット１内に装入され、基端面が電磁弁４の出口に連結されている。
また、吐水管３の先部には、プラスチック等で形成されたマッチ箱程度の大きさの吐水ヘッド３０が取り付けられている。
【００２０】
この吐水ヘッド３０の下面には吐水管３の吐水口３１が開口し、上面には運転切替スイッチ１５およびモード表示用のＬＥＤ１６が配設されている。なお、吐水口３１から吐水する湯（水）の水量は流調ツマミ１７の操作により可変することができる。
運転切替スイッチ１５は、コントローラ６に電気接続され、押圧操作により運転状態が、運転停止（ＬＥＤ１６が消灯）→モード自動設定（ＬＥＤ１６が設定されたモードに対応する色で点灯）→食器洗いモード；固定（ＬＥＤ１６が赤色点灯）→通常モード；固定（ＬＥＤ１６が緑色点灯）→運転停止（ＬＥＤ１６が消灯）に順に切り替わる。
【００２１】
センサ５は、発光素子であるＬＥＤ５１と、受光素子であるフォトダイオード５２とにより構成され、光軸がシンク２の略中央で交差する様にＬＥＤ５１およびフォトダイオード５２が斜めに配設されている。
シンク２の略中央に検知物が有る場合には、ＬＥＤ５１から放射された光が検知物に当たって反射してフォトダイオード５２に入光する。また、検知物が無い場合には、シンク２の底面に当たって他方向へ反射しフォトダイオード５２に入光しない。
【００２２】
コントローラ６は、本実施例では、図４、図５に示す様に、ＡＣアダプタ６１、整流回路６２、センサ駆動回路６３、電磁弁駆動回路６４、およびマイクロコンピュータ６５を備える。
【００２３】
ＡＣアダプタ６１は、トランス６１１によりＡＣ- １００Ｖを１０Ｖ程度の低い交流電圧に降圧する。
整流回路６２は、低い交流電圧を整流して＋５Ｖの安定化電圧を得る。
センサ駆動回路６３は、ＬＥＤ５１が間欠点灯するための電圧を印加するための回路である。
【００２４】
電磁弁駆動回路６４は、電磁弁４を閉開弁させるための電圧を印加するための回路である。
電磁弁駆動回路６４は、通常止水モードでは、センサ５が被検知体の存在を検知しなくなると閉弁信号を直ちに電磁弁４に出力する。また、食器洗いモードでは、センサ５が被検知体の存在を検知しなくなると閉弁信号を１秒後に電磁弁４に出力する。
【００２５】
つぎに、モード自動設定の場合におけるマイクロコンピュータ６５の作動を、図６のフローチャート、および図８のタイムチャートに基づいて説明する。
自動水栓Ａの電源を投入すると、ステップｓ１で通常止水モードに設定（ＬＥＤ１６が緑色点灯）する。
ステップｓ２で０．５秒間、待機する。
【００２６】
ステップｓ２の終了後、ステップｓ３において、センサ駆動回路６３がＬＥＤ５１に電圧を印加して、ＬＥＤ５１からシンク２方向に光を照射する。フォトダイオード５２に反射光が入光して被検知体の存在を検知した場合にはステップｓ４に進み、反射光が入光せず被検知体の存在を検知しない場合にはステップｓ５に進む。
ステップｓ４で、マイクロコンピュータ６５は電磁弁駆動回路６４へ開弁信号の出力を開始し、電磁弁駆動回路６４は電磁弁４に通電を行い、電磁弁４が開弁状態となる。
【００２７】
ステップｓ５で、タイマ（２秒前後）のカウントを行いステップｓ６に進む。
ステップｓ６でタイマがタイムアップしているか否か判別し、タイムアップしていない場合（ＮＯ）にはステップｓ２に戻り、タイムアップしている場合（ＹＥＳ）にはステップｓ７に進む。
ステップｓ７で通常止水モードに設定（ＬＥＤ１６が緑色点灯）し、タイマを０に戻し、ステップｓ２に戻る。
【００２８】
ステップｓ８で０．５秒間、待機する。
ステップｓ８の終了後、ステップｓ９において、センサ駆動回路６３がＬＥＤ５１に電圧を印加して、ＬＥＤ５１からシンク２方向に光を照射する。フォトダイオード５２に反射光が入光して被検知体の存在を検知した場合にはステップｓ８に戻り、反射光が入光せず被検知体の存在を検知しない場合にはステップｓ１０に進む。
【００２９】
ステップｓ１０で０．２５秒間、待機する。
ステップｓ１０の終了後、ステップｓ１１において、センサ駆動回路６３がＬＥＤ５１に電圧を印加して、ＬＥＤ５１からシンク２方向に光を照射する。フォトダイオード５２に反射光が入光して被検知体の存在を検知した場合にはステップｓ１２に進み、反射光が入光せず被検知体の存在を検知しない場合にはステップｓ１３に進む。
【００３０】
ステップｓ１２で食器洗いモードに設定（ＬＥＤ１６が赤色点灯）し、ステップｓ８に戻る。
ステップｓ１３で現在のモードが食器洗いモードであるか否か判別し、食器洗いモードの場合（ＹＥＳ）にはステップｓ１４に進み、通常モードの場合（ＮＯ）にはステップｓ１５に進む。
【００３１】
ステップｓ１５で、マイクロコンピュータは電磁弁駆動回路６４へ閉弁信号を出力し、電磁弁駆動回路６４は電磁弁４への通電を停止する。
ステップｓ１６で０．５秒間、待機する。
【００３２】
ステップｓ１６の終了後、ステップｓ１７において、センサ駆動回路６３がＬＥＤ５１に電圧を印加して、ＬＥＤ５１からシンク２方向に光を照射する。フォトダイオード５２に反射光が入光して被検知体の存在を検知した場合にはステップｓ１８に進み、反射光が入光せず被検知体の存在を検知しない場合にはステップｓ２に戻る。
ステップｓ１８で食器洗いモードに設定（ＬＥＤ１６が赤色点灯）し、ステップｓ４に戻る。
【００３３】
本実施例の自動水栓Ａは、以下の利点を有する。
〔ア〕自動水栓Ａは、運転切替スイッチ１５を操作してモード自動設定に設定すると、手を洗っている状態か、食器や食材等を洗っている状態かを判別して、被検知体の存在を検知しなくなる（ステップｓ９でＮＯ、且つｓ１１でＮＯ）と電磁弁駆動回路６４に閉弁信号を直ちに出力する（ステップｓ１１でＮＯ→ステップｓ１５）通常止水モードと、電磁弁駆動回路６４に遅れて出力する（ステップｓ１１でＮＯ→ステップｓ１５）遅延止水モードとを自動的に切り替える構成である。
このため、食器や食材等を洗う際に吐水の中断が起こり難く、使用者に不快感を与えない。また、手を洗っている場合（通常止水モード時）には、被検知物である手をシンク２内から退けると直ぐ止水するので節水性を確保することができる。
【００３４】
〔イ〕自動水栓Ａは、被検知体を検知する状態（ステップｓ９でＹＥＳ）から一旦、被検知体を検知しない状態（ステップｓ９でＮＯ）になり、第１所定時間内（最大、ステップｓ１０の０．２５秒＋ステップｓ１６の０．５秒）に検知状態（ステップｓ１１でＹＥＳ、またはステップｓ１７でＹＥＳ）になると自動で食器洗いモードに設定される（ステップｓ１２、ｓ１８）構成である。
また、食器洗いモードで作動中に、第２所定時間（ステップｓ１０の０．２５秒＋ステップｓ１４の１秒＋ステップｓ１６の０．５秒＋ステップｓ２の０．５秒＋ステップｓ５のタイマ時間）を越えても検知状態にならなかった場合（ステップｓ３でＮＯ）には、通常止水モードに戻る（ステップｓ７）構成である。
このため、使用者が手を洗っている状態か、食器や食材等を洗っている状態かを精度良く判別することができる。
【００３５】
〔ウ〕自動水栓Ａは、押圧操作により運転状態を、運転停止→モード自動設定→食器洗いモード（固定）→通常モード（固定）→運転停止に順に切り替えることができる運転切替スイッチ１５を吐水ヘッド３０に配設している。
このため、食器・食材洗いを連続して行う場合や、手洗いを連続して行う場合には、モードを固定することにより、別のモードに自動で切り替わる間に生じる吐水の中断や無駄水の吐水を防ぐことができる。
また、買い物等で台所を離れる場合に、運転切替スイッチ１５を運転停止にしておけば、食器や食材等がシンク２内に転がっても吐水が起きることがない。
【００３６】
つぎに、本発明の第２実施例（請求項５に対応）を図９〜図１３に基づいて説明する。
自動水栓Ｂは、下記に示す点が自動水栓Ａと異なる。
吐水管３の吐水ヘッド３０にはＬＥＤ５１とフォトダイオード５２とからなるセンサ５が取り付けられ、吐水ヘッド３０の下面には吐水管３の吐水口３１が開口している。
【００３７】
コントローラ６は、本実施例では、図１０、図１１に示す様に、センサ駆動回路６３、電磁弁駆動回路６４、マイクロコンピュータ６５、電池６６、および電圧監視回路６７を備える。
【００３８】
つぎに、コントローラ６のマイクロコンピュータの作動を、図１２、図１３に基づいて説明する。
自動水栓Ｂの電源を投入すると、ステップＳ１で通常止水モードに設定する。
ステップＳ２で０．５秒間、待機する。
【００３９】
ステップＳ２の終了後、ステップＳ３において、センサ駆動回路６３がＬＥＤ５１に電圧を印加して、ＬＥＤ５１からシンク２方向に光を照射する。フォトダイオード５２に反射光が入光して被検知体の存在を検知した場合にはステップＳ４に進み、反射光が入光せず被検知体の存在を検知しない場合にはステップＳ５に進む。
ステップＳ４で、マイクロコンピュータ６５は電磁弁駆動回路６４へ開弁信号の出力を開始し、電磁弁駆動回路６４は電磁弁４に通電を行い、電磁弁４が開弁状態となる。
【００４０】
ステップＳ５で、タイマ（２秒前後）のカウントを行いステップＳ６に進む。
ステップＳ６でタイマがタイムアップしているか否か判別し、タイムアップしていない場合（ＮＯ）にはステップＳ２に戻り、タイムアップしている場合（ＹＥＳ）にはステップＳ７に進む。
ステップＳ７で通常止水モードに設定し、タイマを０に戻し、ステップＳ２に戻る。
【００４１】
ステップＳ８で０．５秒間、待機する。
ステップＳ８の終了後、ステップＳ９において、センサ駆動回路６３がＬＥＤ５１に電圧を印加して、ＬＥＤ５１からシンク２方向に光を照射する。フォトダイオード５２に反射光が入光して被検知体の存在を検知した場合にはステップＳ８に戻り、反射光が入光せず被検知体の存在を検知しない場合にはステップＳ１０に進む。
【００４２】
ステップＳ１０で現在のモードが食器洗いモードであるか否か判別し、食器洗いモードの場合（ＹＥＳ）にはステップＳ１１に進み、通常モードの場合（ＮＯ）にはステップＳ１２に進む。
ステップＳ１１で確認回数を３回に設定し、ステップＳ１３に進む。
ステップＳ１２で確認回数を１回に設定し、ステップＳ１３に進む。
【００４３】
ステップＳ１３で０．２５秒間、待機する。
ステップＳ１３の終了後、ステップＳ１４において、センサ駆動回路６３がＬＥＤ５１に電圧を印加して、ＬＥＤ５１からシンク２方向に光を照射する。フォトダイオード５２に反射光が入光して被検知体の存在を検知した場合にはステップＳ１５に進み、反射光が入光せず被検知体の存在を検知しない場合にはステップＳ１６に進む。
ステップＳ１５で食器洗いに設定し、ステップＳ８に戻る。
【００４４】
ステップＳ１６で確認回数が終了しているか否かを判別し、確認回数が終了している場合（ＹＥＳ）にはステップＳ１７に進み、終了していない場合（ＮＯ）にはステップＳ１３に戻る。
【００４５】
ステップＳ１７で、マイクロコンピュータ６５は電磁弁駆動回路６４へ閉弁信号を出力し、電磁弁駆動回路６４は電磁弁４への通電を停止する。
ステップＳ１８で０．５秒間、待機する。
【００４６】
ステップＳ１８の終了後、ステップＳ１９において、センサ駆動回路６３がＬＥＤ５１に電圧を印加して、ＬＥＤ５１からシンク２方向に光を照射する。フォトダイオード５２に反射光が入光して被検知体の存在を検知した場合にはステップＳ２０に進み、反射光が入光せず被検知体の存在を検知しない場合にはステップＳ２に戻る。
ステップＳ２０で食器洗いモードに設定し、ステップＳ４に戻る。
【００４７】
本実施例の自動水栓Ｂは、以下の利点を有する。
〔エ〕自動水栓Ｂは、手を洗っている状態か食器や食材等を洗っている状態かを判別して、下記に示す通常止水モード或いは食器洗いモードに自動的に設定される構成である。
このため、食器洗い中や食材洗い中（食器洗いモードに設定）に吐水の中断が起こり難く、使用者に不快感を与えない。また、手を洗っている場合（通常モードに設定）には被検知物である手をシンク２内から退けると直ぐ止水するので節水性を確保することができる。
【００４８】
（通常止水モード）
センサ５が被検知体を検知しなくなる（ステップＳ９でＮＯ）と０．２５秒後に被検知体を確認する確認動作を１回行い、それでも被検知体を検知できない場合に電磁弁駆動回路６４に閉弁信号を出力する。
（食器洗いモード）
センサ５が被検知体を検知しなくなる（ステップＳ９でＮＯ）と０．２５秒毎に最高３回、被検知体を確認する確認動作を行い、それでも被検知体を検知できない場合に電磁弁駆動回路６４に閉弁信号を出力する。
【００４９】
本発明は、上記実施例以外に、つぎの実施態様を含む。
ａ．第１実施例の自動水栓Ａ（モード自動設定の場合）において、センサ５が被検知体を検知する状態と検知しない状態とが反復し、その反復回数が例えば、１秒以内（所定時間内に相当）に３回（設定数に相当）に達すると食器洗いモードに切り替わる構成に変更しても良い｛請求項２に対応｝。
【００５０】
また、第１実施例の自動水栓Ａ（モード自動設定の場合）が食器洗いモード（遅延止水モードに相当）で作動中に、センサ５が被検知体を検知する状態と検知しない状態とが反復し、その反復回数が例えば、１秒間（第１所定時間に相当）に２回未満（設定数未満に相当）に低下すると切り替わる構成に変更しても良い｛請求項３に対応｝。
【００５１】
更に、第１実施例の自動水栓Ａ（モード自動設定の場合）が食器洗いモード（遅延止水モードに相当）で作動している場合、センサ５が被検知体を検知する状態と検知しない状態とが反復し、その反復回数が多い程、また被検知体を検知しない期間が長い程、閉弁信号を電磁弁駆動回路６４へ出力する迄の遅れ時間が長く設定される構成に変更しても良い｛請求項４に対応｝。
【００５２】
ｂ．第２実施例の自動水栓Ｂにおいて、センサ５が被検知体の存在を検知する状態と検知しない状態とが反復する場合、その反復回数が多い程、また被検知体を検知しない期間が長い程、確認動作の回数が増える構成に変更しても良い｛請求項６に対応｝。
【００５３】
ｃ．センサが放射するセンサ波は、光以外に、電波や音波等でも良い｛請求項５、６に対応｝。
【００５４】
ｄ．被検知体の存在の有無をセンサが連続して検知する構成であっても良い｛請求項１〜４に対応｝。
【図面の簡単な説明】
【図１】本発明の第１実施例に係る自動水栓の構造説明図である。
【図２】その自動水栓の温調ユニットの断面図（ａ）、温調ユニットを正面側の内部構造図（ｂ）、側面側の内部構造図（ｃ）である。
【図３】その自動水栓の吐水ヘッドの正面側の断面図（ａ）、側面側の断面図（ｂ）である。
【図４】その自動水栓のブロック図である。
【図５】その自動水栓の部品配置図である。
【図６】その自動水栓のコントローラのマイクロコンピュータの作動を示すフローチャートである。
【図７】その自動水栓の作動を示すタイムチャートである。
【図８】その自動水栓の作動を示すタイムチャートである。
【図９】本発明の第２実施例に係る自動水栓の構造説明図である。
【図１０】その自動水栓のブロック図である。
【図１１】その自動水栓の部品配置図である。
【図１２】その自動水栓のコントローラのマイクロコンピュータの作動を示すフローチャートである。
【図１３】その自動水栓の作動を示すタイムチャートである。
【図１４】従来技術に係る自動水栓の作動を示すフローチャートである。
【図１５】従来技術に係る自動水栓の作動を示すタイムチャートである。
【図１６】従来技術に係る自動水栓の作動を示すフローチャートである。
【図１７】従来技術に係る自動水栓の作動を示すタイムチャートである。
【符号の説明】
３  吐水管
４  電磁弁
５  センサ
Ａ、Ｂ  自動水栓
６５  マイクロコンピュータ（制御手段）
【図１】
0004193313.tif 000002
【図２】
0004193313.tif 000003
【図３】
0004193313.tif 000004
【図４】
0004193313.tif 000005
【図５】
0004193313.tif 000006
【図６】
0004193313.tif 000007
【図７】
0004193313.tif 000008
【図８】
0004193313.tif 000009
【図９】
0004193313.tif 000010
【図１０】
0004193313.tif 000011
【図１１】
0004193313.tif 000012
【図１２】
0004193313.tif 000013
【図１３】
0004193313.tif 000014
【図１４】
0004193313.tif 000015
【図１５】
0004193313.tif 000016
【図１６】
0004193313.tif 000017
【図１７】
0004193313.tif 000018